(57)【要約】【課題】事前に回路定数等を調整することなく、入力される制御信号のチャタリングの影響を排除することができるＤＣ−ＤＣコンバータ等を提供すること。【解決手段】ソフトスタート制御回路１０Ｇには外部から動作制御信号ＣＮＴが入力される。またソフトスタート制御回路１０Ｇには、充放電制御回路３０Ｇから出力される出力電圧制御信号ＶＣＳか、またはパワー部５０Ｇから出力される出力電圧Ｖｏｕｔが入力される。ソフトスタート制御回路１０Ｇは、ＤＣ−ＤＣコンバータ１Ｇのソフトスタート動作の開始からソフトスタート動作が完了するまでの期間中に停止指令を無視する第１の動作か、または、前記ＤＣ−ＤＣコンバータの停止開始から出力電圧Ｖｏｕｔがゼロ近傍まで下降して前記ＤＣ−ＤＣコンバータの停止が完了するまでの期間中に前記動作指令を無視する第２の動作を行う。【選択図】図１
2008253003.tif 000002
【特許請求の範囲】
【請求項１】
ソフトスタート信号に基づいてソフトスタートを行うソフトスタート機能を備えたＤＣ−ＤＣコンバータにおいて、
ソフトスタート終了時に前記ソフトスタート信号が活性化されているか否かを検知する検知回路と、
前記検知回路の検知結果に基づいて出力電圧を制御する出力電圧制御手段と
を備えることを特徴とするＤＣ−ＤＣコンバータ。
【請求項２】
前記出力電圧制御手段は、
前記検知結果がソフトスタート信号の活性化を示す場合には前記出力電圧をそのまま維持し、前記検知結果がソフトスタート信号の非活性化を示す場合には前記出力電圧を下げること
を特徴とする請求項１に記載のＤＣ−ＤＣコンバータ。
【請求項３】
前記ソフトスタート終了時は、前記出力電圧が前記ソフトスタート機能で設定される終止電圧に達することで判断されること
を特徴とする請求項１または請求項２に記載のＤＣ−ＤＣコンバータ。
【請求項４】
ソフトスタート用信号を入力するための入力部を備え出力電圧信号と基準電圧信号との差を増幅して出力する誤差増幅器と、前記誤差増幅器の出力を用いて第1スイッチングトランジスタと第2スイッチングトランジスタとのオンとオフとを制御するＰＷＭ制御回路とを備えたＤＣ−ＤＣコンバータにおいて、
前記出力電圧信号が所定電圧に達したときに前記ソフトスタート信号のレベルを検知する検知回路と、
前記検知結果に基づいて出力電圧信号を制御する出力電圧制御手段と
を備えることを特徴とするＤＣ−ＤＣコンバータ。
【請求項５】
外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
ソフトスタート終了時に前記外部ソフトスタート信号が活性化されているか否かを検知する検知回路と、
前記検知回路の検知結果に基づいて内部ソフトスタート信号の出力を制御する制御手段と
を備えることを特徴とするＤＣ−ＤＣコンバータ。
【請求項６】
ソフトスタート信号を受信して、該ソフトスタート信号の活性化に応じてソフトスタートを開始し、
前記ソフトスタートの終了時に前記ソフトスタート信号が活性化されているか否かを検知し、
前記検知結果に基づいて出力電圧を制御すること
を特徴とする電源電圧供給方法。
【請求項７】
ＣＰＵと、
前記ＣＰＵからのソフトスタート信号に基づいてソフトスタートを行うＤＣ−ＤＣコンバータと
を備え、
前記ＤＣ−ＤＣコンバータは、
ソフトスタート終了時に前記ソフトスタート信号が活性化されているか否かを検知する検知回路と、
前記検知回路の検知結果に基づいて出力電圧を制御する出力電圧制御手段と
を備えることを特徴とする電源電圧供給システム。
【請求項８】
ソフトスタート信号に基づいてソフトスタートを行うソフトスタート機能を備えたＤＣ−ＤＣコンバータにおいて、
前記ソフトスタート信号の活性化に基づいて出力電圧を検知し、該出力電圧が接地電位を含む所定の範囲にある場合にソフトスタート開始すること
を特徴とするＤＣ−ＤＣコンバータ。
【請求項９】
ソフトスタート用信号を入力するための入力部を備え出力電圧信号と基準電圧信号との差を増幅して出力する誤差増幅器と、前記誤差増幅器の出力を用いて第1スイッチングトランジスタと第2スイッチングトランジスタとのオンとオフとを制御するＰＷＭ制御回路とを備えたＤＣ−ＤＣコンバータにおいて、
前記ソフトスタート信号が活性化された場合に出力電圧を検知する検知回路と、
前記検知結果に基づいてソフトスタートを開始する信号を生成するソフトスタート信号生成回路と
を備えることを特徴とするＤＣ−ＤＣコンバータ。
【請求項１０】
外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
外部ソフトスタート信号活性化時に出力電圧を検知し、該出力電圧が接地電位を含む所定の範囲にある場合に、前記内部ソフトスタート信号を活性化させること
を特徴とするＤＣ−ＤＣコンバータ。
【発明の詳細な説明】
【技術分野】
【０００１】
本発明は、ＤＣ−ＤＣコンバータ、電源電圧供給方法および電源電圧供給システムに関し、特に入力される制御信号のチャタリングの影響を排除することが可能なものに関する。
【背景技術】
【０００２】
図１０に、特許文献１に係るソフトスタートＤＣ−ＤＣコンバータ１００を示す。ＤＣ−ＤＣコンバータ制御回路１０２に備えられる誤差増幅器ＥＲＡ１０１の反転入力端子にはノードＮ１０１が接続され、第１の非反転入力端子には基準電圧ｅ１０１が入力され、第２の非反転入力端子にはコンデンサＣＳが接続される。また充放電制御回路１３０には、外部から動作制御信号ＣＮＴが入力される。
【０００３】
ＤＣ−ＤＣコンバータ１００の起動時には、動作制御信号ＣＮＴがローレベルからハイレベルとされる。ハイレベルの動作制御信号ＣＮＴに応じて、充放電制御回路１３０のスイッチＳＷ１０１が導通状態とされ、スイッチＳＷ１０２が非導通状態とされる。よってコンデンサＣＳが定電流回路ＣＣを流れる電流ｉ１０１により充電され、コンデンサＣＳから出力される出力電圧制御信号ＶＣＳが０Ｖから除々に上昇する。このとき出力電圧制御信号ＶＣＳが、誤差増幅器ＥＲＡ１０１の非反転入力に入力される電圧のうちの最低電圧であるため、出力電圧Ｖｏｕｔは出力電圧制御信号ＶＣＳにより制御される。よって出力電圧ＶｏｕｔはコンデンサＣＳの充電に伴い除々に上昇する。このように、動作制御信号ＣＮＴに応じてソフトスタート動作が行われる。
【０００４】
またチャタリング除去の従来例として用いられる、シュミットトリガを用いたチャタリング除去回路２００を図１１に示す。チャタリング除去回路２００は、ローパスフィルタ２０１とシュミットトリガ回路２０２とを備える。ローパスフィルタ２０１は、抵抗２０３およびコンデンサ２０４を備える。抵抗２０３の一端には入力端子Ｔｉｎが接続され、他端はシュミットトリガ回路２０２およびコンデンサ２０４の一端に接続される。またコンデンサ２０４の他端は接地される。シュミットトリガ回路２０２の出力端子は、出力端子Ｔｏｕｔに接続される。ここでシュミットトリガ回路２０２は、 入力電圧に対して上限値と下限値の二つのスレッショルド・レベルをもち、これらの値より入力が高くなるか、または低くなるかで状態が変化する回路である。電圧の上限値と下限値の差をヒステリシス電圧といい、これが大きいほどチャタリング除去能力が高くなる。
【０００５】
ＤＣ−ＤＣコンバータ１００の動作制御信号ＣＮＴのチャタリング除去のために、従来のチャタリング除去回路２００を使用する場合を説明する。この場合、動作制御信号ＣＮＴが入力端子Ｔｉｎに入力される。動作制御信号ＣＮＴはローパスフィルタ２０１で波形のひずみが滑らかにされた上でシュミットトリガ回路２０２に入力される。シュミットトリガ回路２０２では、スレッショルド・レベルを超えることに応じて出力信号が反転する。そして出力端子Ｔｏｕｔからは、チャタリング除去後の動作制御信号ＣＮＴが出力され、ＤＣ−ＤＣコンバータ制御回路１０２に入力される。
【０００６】
尚、上記の関連技術として特許文献１ないし４が開示されている。
【特許文献１】特開平１０−３２３０２６
【特許文献２】特開平１１−７５３６５号公報
【特許文献３】特開２００５−５１９５６号公報
【特許文献４】特開２００６−３１１７２９号公報
【発明の開示】
【発明が解決しようとする課題】
【０００７】
動作制御信号ＣＮＴは外部から入力されるため、チャタリングの継続時間やパルス幅等のパラメータは様々な値となる。しかし従来のチャタリング除去回路２００では、シュミットトリガ回路２０２のヒステリシス電圧の値、ローパスフィルタ２０１の抵抗２０３の抵抗値およびコンデンサ２０４の容量値など、各種回路定数をチャタリングのパラメータに応じて事前に最適に設計する必要がある。すると回路設計が困難となるため問題である。
【０００８】
本発明は前記背景技術の課題の少なくとも１つを解消するためになされたものであり、事前に回路定数等を調整することなく、入力される制御信号のあらゆるチャタリングの影響を排除することが可能であるＤＣ−ＤＣコンバータ、電源電圧供給方法および電源電圧供給システムを提供することを目的とする。
【課題を解決するための手段】
【０００９】
前記目的を達成するために、本発明の第１概念に係るＤＣ−ＤＣコンバータでは、ソフトスタート信号に基づいてソフトスタートを行うソフトスタート機能を備えたＤＣ−ＤＣコンバータにおいて、ソフトスタート終了時にソフトスタート信号が活性化されているか否かを検知する検知回路と、検知回路の検知結果に基づいて出力電圧を制御する出力電圧制御手段と
を備えることを特徴とする。
【００１０】
また本発明の第１概念に係る電源電圧供給方法は、ソフトスタート信号を受信して、該ソフトスタート信号の活性化に応じてソフトスタートを開始し、ソフトスタートの終了時にソフトスタート信号が活性化されているか否かを検知し、検知結果に基づいて出力電圧を制御することを特徴とする。
【００１１】
また本発明の第１概念に係る電源電圧供給システムは、ＣＰＵと、ＣＰＵからのソフトスタート信号に基づいてソフトスタートを行うＤＣ−ＤＣコンバータとを備え、ＤＣ−ＤＣコンバータは、ソフトスタート終了時にソフトスタート信号が活性化されているか否かを検知する検知回路と、検知回路の検知結果に基づいて出力電圧を制御する出力電圧制御手段とを備えることを特徴とする。
【００１２】
ソフトスタート動作とは、ＤＣ−ＤＣコンバータの起動時において、出力電圧をゼロから設定電圧まで徐々に上げていくことにより、突入電流の発生を防止する動作である。ＤＣ−ＤＣコンバータ、電源電圧供給方法または電源電圧供給システムは、ソフトスタート信号に応じてＤＣ−ＤＣコンバータのソフトスタート動作を開始させる。そして検知回路または検知するステップでは、ソフトスタート終了時にソフトスタート信号が活性化されているか否かを検知する。
【００１３】
ＤＣ−ＤＣコンバータの起動時においては、ＤＣ−ＤＣコンバータ制御回路に活性化されたソフトスタート信号が入力される。  このとき、ソフトスタート信号の活性化と不活性化とが短時間の間に交互に入れ替わるチャタリングが発生する場合がある。この場合不活性なソフトスタート信号が複数回入力されることになるが、ＤＣ−ＤＣコンバータ、電源電圧供給方法または電源電圧供給システムでは、一番最初の活性化されたソフトスタート信号に応じてソフトスタート動作を開始する。そしてソフトスタート終了までに入力される活性化されたソフトスタート信号は無視されるため、ソフトスタート動作が継続される。その後出力電圧が終止電圧まで上昇すると、ソフトスタート動作が終了する。
【００１４】
ソフトスタート動作の終了時に、ソフトスタート信号が活性化されているか否かの検知結果が得られ、該検知結果に基づいて出力電圧が制御される。
【００１５】
これにより、ソフトスタート動作の開始から完了までの、ソフトスタート信号のチャタリングの影響を排除することが可能となる。
【００１６】
また従来はチャタリングの影響を排除するために、チャタリング除去回路を備えると共に、チャタリング除去回路の各種回路定数を、チャタリングの継続時間やパルス幅等の各種パラメータに応じて事前に最適に設計する必要があった。しかしＤＣ−ＤＣコンバータ、電源電圧供給方法または電源電圧供給システムでは、ソフトスタート終了時にソフトスタート信号が活性化されているか否かを検知する形態であるため、チャタリングの各種パラメータにかかわらず、チャタリングの影響を排除することができる。よって回路定数の最適化等が不要であるため、回路設計の簡略化を図る事が可能となる。
【００１７】
また目的を達成するために、本発明の第２概念に係るＤＣ−ＤＣコンバータでは、ソフトスタート信号に基づいてソフトスタートを行うソフトスタート機能を備えたＤＣ−ＤＣコンバータにおいて、ソフトスタート信号の活性化に基づいて出力電圧を検知し、該出力電圧が接地電位を含む所定の範囲にある場合にソフトスタート開始することを特徴とする。
【００１８】
ＤＣ−ＤＣコンバータは、出力電圧が接地電位を含む所定の範囲にある場合にソフトスタート開始する。ＤＣ−ＤＣコンバータの起動時においては、ソフトスタート信号が、不活性状態から活性状態に遷移する。このときチャタリングが発生すると、ＤＣ−ＤＣコンバータでは、不活性状態から活性状態への一番最初の遷移に応じてソフトスタート動作を開始するため、ＤＣ−ＤＣコンバータの出力電圧が上昇する。そして、引き続くソフトスタート信号の活性状態から不活性状態への遷移に応じて、ソフトスタート動作を終了するため、出力電圧が下降する。そしてＤＣ−ＤＣコンバータの停止開始後に活性化されたソフトスタート信号が入力されると、検知される出力電圧が接地電位を含む所定の範囲を超えて高い値となるため、出力電圧は下降し続け、その後ＤＣ−ＤＣコンバータが停止完了状態とされる。
【００１９】
そしてＤＣ−ＤＣコンバータが停止完了した後にソフトスタート信号が活性化されると、出力電圧が接地電位を含む所定の範囲内とされるため、ソフトスタート動作が再度開始される。
【００２０】
これによりＤＣ−ＤＣコンバータの停止開始から停止完了までのチャタリングの影響を排除することが可能となる。
【００２１】
また従来は、チャタリング除去回路の各種回路定数をチャタリングの継続時間やパルス幅等の各種パラメータに応じて事前に最適に設計する必要があった。しかし本発明の第２概念に係るＤＣ−ＤＣコンバータでは、ソフトスタート信号の活性化に基づいて出力電圧を検知し、該出力電圧が接地電位を含む所定の範囲にある場合にソフトスタート開始する形態であるため、チャタリングの各種パラメータにかかわらず、チャタリングの影響を排除することができる。よって回路定数の最適化等が不要であるため、回路設計の簡略化を図る事が可能となる。
【発明の効果】
【００２２】
本発明のＤＣ−ＤＣコンバータ、電源電圧供給方法および電源電圧供給システムによれば、事前に回路定数等を調整することなく、入力される制御信号のあらゆるチャタリングの影響を排除することができるＤＣ−ＤＣコンバータ、電源電圧供給方法および電源電圧供給システムを提供することが可能となる。
【発明を実施するための最良の形態】
【００２３】
本発明の原理図を図１に示す。ＤＣ−ＤＣコンバータ１Ｇは、ＤＣ−ＤＣコンバータ制御回路２Ｇおよびパワー部５０Ｇを備える。パワー部５０Ｇからは出力電圧Ｖｏｕｔが出力される。ＤＣ−ＤＣコンバータ制御回路２Ｇは、ソフトスタート制御回路１０Ｇ、充放電制御回路３０Ｇ、スイッチング制御回路４０Ｇを備える。ソフトスタート制御回路１０Ｇには外部から動作制御信号ＣＮＴが入力される。さらにソフトスタート制御回路１０Ｇには、充放電制御回路３０Ｇから出力される出力電圧制御信号ＶＣＳが入力されるか、または、パワー部５０Ｇから出力される出力電圧Ｖｏｕｔが入力される。ソフトスタート制御回路１０Ｇから出力される内部動作制御信号ＩＣＮＴは、充放電制御回路３０Ｇに入力される。スイッチング制御回路４０Ｇには、充放電制御回路３０Ｇから出力される出力電圧制御信号ＶＣＳと、出力電圧Ｖｏｕｔとが入力される。スイッチング制御回路４０Ｇの出力端子はパワー部５０Ｇに接続される。
【００２４】
ＤＣ−ＤＣコンバータ１Ｇの動作について説明する。ＤＣ−ＤＣコンバータ制御回路２Ｇは、動作指令であるハイレベルの動作制御信号ＣＮＴに応じてＤＣ−ＤＣコンバータ１Ｇのソフトスタート動作を開始させ、停止指令であるローレベルの動作制御信号ＣＮＴに応じてＤＣ−ＤＣコンバータ１Ｇを停止させる。そしてＤＣ−ＤＣコンバータ制御回路２Ｇは、ＤＣ−ＤＣコンバータ１Ｇを停止状態から起動させる時に、出力電圧Ｖｏｕｔをゼロから予め定められる設定電圧まで徐々に上げていくことにより突入電流の発生を防止するソフトスタート動作を行う。
【００２５】
ソフトスタート制御回路１０Ｇは、出力電圧制御信号ＶＣＳまたは出力電圧Ｖｏｕｔを監視する。そしてソフトスタート制御回路１０Ｇは、ソフトスタート動作の開始から出力電圧Ｖｏｕｔが設定電圧まで上昇してソフトスタート動作が完了するまでの期間中に停止指令を無視する第１の動作か、または、ＤＣ−ＤＣコンバータの停止開始から出力電圧Ｖｏｕｔがゼロ近傍まで下降してＤＣ−ＤＣコンバータの停止が完了するまでの期間中に動作指令を無視する第２の動作を行う。
【００２６】
まず、上記第１の動作について説明する。ＤＣ−ＤＣコンバータ１Ｇの起動時においては、動作制御信号ＣＮＴがローレベルからハイレベルに遷移する。このとき動作制御信号ＣＮＴでは、ローレベルとハイレベルとが短時間の間に交互に複数回入れ替わるチャタリングが発生する場合がある。するとソフトスタート制御回路１０Ｇは、動作制御信号ＣＮＴのローレベルからハイレベルへの一番最初の遷移に応じて、内部動作制御信号ＩＣＮＴをローレベルからハイレベルに遷移させる。充放電制御回路３０Ｇは、ハイレベルの内部動作制御信号ＩＣＮＴに応じて、出力電圧制御信号ＶＣＳを０Ｖから除々に上昇させる。スイッチング制御回路４０Ｇは、出力電圧制御信号ＶＣＳの上昇に応じて出力電圧Ｖｏｕｔを上昇させるように、パワー部５０Ｇを制御する。すなわちＤＣ−ＤＣコンバータ制御回路２Ｇは、動作制御信号ＣＮＴのローレベルからハイレベルへの一番最初の遷移に応じてソフトスタート動作を開始する。
【００２７】
そしてソフトスタート動作の開始から完了までの間にチャタリングによってローレベルの動作制御信号ＣＮＴが入力されると、ソフトスタート制御回路１０Ｇは当該ローレベルの信号をマスクする。よって内部動作制御信号ＩＣＮＴはハイレベルに維持されるため、ソフトスタート動作が継続される。一方、ソフトスタート動作の完了後にローレベルの動作制御信号ＣＮＴが入力されると、ソフトスタート制御回路１０Ｇは当該ローレベルの信号をマスクすることはない。よって内部動作制御信号ＩＣＮＴはローレベルとされ、ＤＣ−ＤＣコンバータ１Ｇの動作は停止される。これにより、ソフトスタートの開始から完了までにおける、動作制御信号ＣＮＴのチャタリングの影響を排除することが可能となる。
【００２８】
次に、上記第２の動作について説明する。ＤＣ−ＤＣコンバータ１Ｇの起動時において、動作制御信号ＣＮＴがローレベルからハイレベルに遷移する際にチャタリングが発生すると、ＤＣ−ＤＣコンバータ制御回路２Ｇは、ローレベルからハイレベルへの一番最初の遷移に応じて、ソフトスタート動作を開始する。そして引き続く動作制御信号ＣＮＴのハイレベルからローレベルへの遷移に応じて、ＤＣ−ＤＣコンバータ制御回路２Ｇは、ソフトスタート動作を終了しＤＣ−ＤＣコンバータ１Ｇの停止を開始するため、出力電圧Ｖｏｕｔが下降する。
【００２９】
そしてＤＣコンバータ１Ｇの停止開始から停止完了までの期間中にチャタリングによってハイレベルの動作制御信号ＣＮＴが入力されると、ソフトスタート制御回路１０Ｇは当該ハイレベルの信号をマスクする。よって内部動作制御信号ＩＣＮＴはローレベルに維持されるため、ＤＣコンバータ１Ｇの停止が継続される。一方、ＤＣ−ＤＣコンバータ１Ｇの停止完了後にハイレベルの動作制御信号ＣＮＴが入力されると、ソフトスタート制御回路１０Ｇは当該ハイレベルの信号をマスクすることはない。よって内部動作制御信号ＩＣＮＴはハイレベルとされ、ＤＣ−ＤＣコンバータ１Ｇはソフトスタート動作を再度開始する。これにより、ＤＣ−ＤＣコンバータ１Ｇの停止開始から停止完了までにおける、動作制御信号ＣＮＴのチャタリングの影響を排除することが可能となる。
【００３０】
そしてソフトスタート制御回路１０Ｇでは、ソフトスタート動作の開始から完了までの間の停止指令を無視する形態、または、ＤＣ−ＤＣコンバータ１Ｇの停止開始から停止完了までの間の動作指令を無視する形態であるため、チャタリングの継続時間やパルス幅等の各パラメータにかかわらず、チャタリングの影響を排除できる。よって従来のように、各種回路定数をチャタリングの各種パラメータに応じて事前に最適に設計したチャタリング除去回路を備える必要がない。これにより、回路設計の簡略化を図る事が可能となる。
【００３１】
本発明の第１実施形態を、図２ないし図６を用いて説明する。図２に、第１実施形態に係るＤＣ−ＤＣコンバータ１を備える電源電圧供給システムを示す。ＤＣ−ＤＣコンバータ１は、ＤＣ−ＤＣコンバータ制御回路２およびパワー部５０を備える。パワー部５０に於いて、メインスイッチング素子であるトランジスタＦＥＴ１の入力端子に入力電圧Ｖｉｎが接続され、トランジスタＦＥＴ１の出力端子にチョークコイルＬ１の入力端子が接続される。チョークコイルＬ１の出力端子からは、出力電圧Ｖｏｕｔが出力される。またトランジスタＦＥＴ１の制御端子には、ＤＣ−ＤＣコンバータ制御回路２の出力端子ＤＨ１が接続される。同期整流スイッチング素子であるトランジスタＦＥＴ２の入力端子はグランドに接地され、出力端子はチョークコイルＬ１の入力端子に接続される。またトランジスタＦＥＴ２の制御端子には、ＤＣ−ＤＣコンバータ制御回路２の出力端子ＤＬ１が接続される。チョークコイルＬ１の出力端子とグランドとの間には平滑コンデンサＣ１が接続される。
【００３２】
ＤＣ−ＤＣコンバータ制御回路２には、ソフトスタート制御回路１０、充放電制御回路３０、スイッチング制御回路４０が備えられる。またＤＣ−ＤＣコンバータ制御回路２の入力端子ＴＲ１には、ＣＰＵ６０から動作制御信号ＣＮＴが入力される。また入力端子ＴＲ２には一端が接地されたコンデンサＣＳが接続され、出力電圧制御信号ＶＣＳが入力される。
【００３３】
スイッチング制御回路４０を説明する。入力端子ＦＢ１とグランドとの間には、入力抵抗Ｒ１と接地抵抗Ｒ２とがノードＮ１を介して接続される。誤差増幅器ＥＲＡ１の反転入力端子にはノードＮ１が接続される。また誤差増幅器ＥＲＡ１の第１の非反転入力端子には基準電圧ｅ１が入力され、第２の非反転入力端子には出力電圧制御信号ＶＣＳが入力される。基準電圧ｅ１は、出力電圧Ｖｏｕｔの設定電圧Ｖｓｅｔを定めるために、予め定められる電圧である。誤差増幅器ＥＲＡ１は、基準電圧ｅ１と出力電圧制御信号ＶＣＳとの低い方の電圧と、反転入力に入力される分圧電圧ＶＮ１との差を増幅する動作を行う。位相補償回路４１は互いに直列接続される抵抗Ｒ３とコンデンサＦＣとを備える。抵抗Ｒ３の一端がノードＮ１に接続されると共に、コンデンサＦＣの一端が誤差増幅器ＥＲＡ１の出力端子に接続される。また誤差増幅器ＥＲＡ１の出力端子は、ＰＷＭ比較器ＰＷＭ１の非反転入力に接続される。三角波発振器ＯＳＣ１の出力信号は、ＰＷＭ比較器ＰＷＭ１の反転入力に入力される。ＰＷＭ比較器ＰＷＭ１の非反転出力端子Ｑから出力される出力信号ＶＱ１は、出力端子ＤＨ１に入力される。また反転出力端子＊Ｑから出力される＊ＶＱ１は、出力端子ＤＬ１に入力される。
【００３４】
充放電制御回路３０を説明する。充放電制御回路３０は、定電流回路ＣＣ、抵抗ＲＤ、スイッチＳＷ１およびＳＷ２を備える。定電流回路ＣＣはスイッチＳＷ１を介してコンデンサＣＳに接続される。抵抗ＲＤの一端はグランドに接続され、他端はスイッチＳＷ２に接続される。スイッチＳＷ１とＳＷ２とはノードＮ２で接続される。スイッチＳＷ１とＳＷ２とは、内部動作制御信号ＩＣＮＴ１に応じて相補に導通する。ノードＮ２は、入力端子ＴＲ２およびソフトスタート制御回路１０に接続される。
【００３５】
図３を用いて、ソフトスタート制御回路１０の回路構成を説明する。ソフトスタート制御回路１０には動作制御信号ＣＮＴおよび出力電圧制御信号ＶＣＳが入力され、内部動作制御信号ＩＣＮＴ１が出力される。ソフトスタート制御回路１０は、検出回路１２およびラッチ回路１３を備える。検出回路１２の比較器ＣＯＭＰ１１の反転入力端子には出力電圧制御信号ＶＣＳが入力され、非反転入力端子には基準電圧ｅ１１が入力される。基準電圧ｅ１１は、出力電圧Ｖｏｕｔの設定電圧Ｖｓｅｔを定めるために、予め定められる電圧である。検出回路１２からは出力信号Ｖ１１が出力される。ラッチ回路１３はフリップフロップＦＦ１１およびオア回路ＯＲ１１を備える。フリップフロップＦＦ１１は、立ち上がりエッジに応じてデータ信号を取り込むＤタイプのフリップフロップである。フリップフロップＦＦ１１のクロック端子には動作制御信号ＣＮＴが入力され、クリア端子ＣＬには出力信号Ｖ１１が入力され、データ端子Ｄには電源電位ＶＣＣが入力され、非反転出力端子Ｑからは出力信号ＶＱ１１が出力される。オア回路ＯＲ１１には出力信号ＶＱ１１および動作制御信号ＣＮＴが入力され、内部動作制御信号ＩＣＮＴ１が出力される。
【００３６】
また図４を用いて、ラッチ回路１３の回路構成を説明する。ラッチ回路１３はフリップフロップＦＦ１１およびオア回路ＯＲ１１を備える。フリップフロップＦＦ１１は、ナンド回路ＮＤ１１ないしＮＤ１４、インバータ回路ＩＮＶ１１を備える。ナンド回路ＮＤ１１ないしＮＤ１４からは、出力信号Ｖｘ１１ないしＶｘ１４が出力される。ナンド回路ＮＤ１２には出力信号Ｖ１１、動作制御信号ＣＮＴおよび出力信号Ｖｘ１１が入力される。ナンド回路ＮＤ１３には、出力信号Ｖｘ１２、Ｖｘ１４および動作制御信号ＣＮＴが入力される。ナンド回路ＮＤ１１には出力信号Ｖｘ１２およびＶｘ１４が入力される。ナンド回路ＮＤ１４には出力信号Ｖ１１および出力信号Ｖｘ１３が入力される。またインバータ回路ＩＮＶ１１には出力信号Ｖｘ１２が入力され、出力信号ＶＱ１１が出力される。またオア回路ＯＲ１１は、ノア回路ＮＯＲ１１およびインバータ回路ＩＮＶ１２を備える。ノア回路ＮＯＲ１１には出力信号ＶＱ１１および動作制御信号ＣＮＴが入力される。ノア回路ＮＯＲ１１の出力端子はインバータ回路ＩＮＶ１２の入力端子に接続され、インバータ回路ＩＮＶ１２からは内部動作制御信号ＩＣＮＴ１が出力される。
【００３７】
図５、図６を用いて、ＤＣ−ＤＣコンバータ１の動作を説明する。ＤＣ−ＤＣコンバータ制御回路２は、動作指令であるハイレベルの動作制御信号ＣＮＴに応じてＤＣ−ＤＣコンバータ１のソフトスタート動作を開始させ、停止指令であるローレベルの動作制御信号ＣＮＴに応じてＤＣ−ＤＣコンバータ１を停止させる。そしてＤＣ−ＤＣコンバータ制御回路２は、ＤＣ−ＤＣコンバータ１を停止状態から起動させる時に、出力電圧Ｖｏｕｔをゼロから予め定められる設定電圧まで徐々に上げていくソフトスタート動作を行う。
【００３８】
図５を用いて、ＤＣ−ＤＣコンバータ１の起動時の動作を説明する。時刻ｔ１以前においては動作制御信号ＣＮＴはローレベルとされ、出力電圧Ｖｏｕｔはゼロとされ、ＤＣ−ＤＣコンバータ１は停止状態である。
【００３９】
時刻ｔ１において動作制御信号ＣＮＴがローレベルからハイレベルへ遷移されることで、ＤＣ−ＤＣコンバータ１が起動される。このとき動作制御信号ＣＮＴにチャタリングが発生し、ハイレベルとローレベルとが短時間の間に交互に複数回行われる現象が発生する（図５、領域Ｒ１１）。
【００４０】
フリップフロップＦＦ１１は、動作制御信号ＣＮＴの一番最初の立ち上がりエッジに応じて、出力信号ＶＱ１１をローレベルからハイレベルへ遷移させる（矢印Ａ１）。ハイレベルの出力信号ＶＱ１１によって、オア回路ＯＲ１１から出力される内部動作制御信号ＩＣＮＴ１は、動作制御信号ＣＮＴに関わらずハイレベルに確定されるため、動作制御信号ＣＮＴがマスクされる（矢印Ａ２）。
【００４１】
ハイレベルの内部動作制御信号ＩＣＮＴ１に応じて、充放電制御回路３０のスイッチＳＷ１が導通状態とされ、スイッチＳＷ２が非導通状態とされる。よってコンデンサＣＳが定電流回路ＣＣを流れる電流ｉ１により充電され、コンデンサＣＳから出力される出力電圧制御信号ＶＣＳが０Ｖから除々に上昇する（矢印Ａ３）。起動時においては出力電圧制御信号ＶＣＳの方が基準電圧ｅ１よりも低いため、誤差増幅器ＥＲＡ１では出力電圧制御信号ＶＣＳと分圧電圧ＶＮ１との差を増幅する。
【００４２】
ＰＷＭ比較器ＰＷＭ１は、出力信号Ｖｏｐ１と三角波発振器ＯＳＣ１の出力電圧を比較し、出力信号Ｖｏｐ１が三角波発振器ＯＳＣ１の出力電圧よりも高いときにハイレベルの出力信号ＶＱ１を出力する。よってＰＷＭ比較器ＰＷＭ１は、出力信号Ｖｏｐ１の大きさに応じたパルス幅のパルスを出力する出力電圧パルス幅変換器の動作を行う。出力信号ＶＱ１がハイレベルの間は、トランジスタＦＥＴ１は導通状態とされ、トランジスタＦＥＴ２は非導通状態とされる。一方、出力信号ＶＱ１がローレベルの間は、トランジスタＦＥＴ１は非導通状態とされ、トランジスタＦＥＴ２は導通状態とされる。トランジスタＦＥＴ１が導通状態とされると、入力電圧ＶｉｎからチョークコイルＬ１を介して負荷に電流が供給され、またチョークコイルＬ１にエネルギが蓄積される。次いでトランジスタＦＥＴ１が非導通状態とされると、トランジスタＦＥＴ２が導通状態とされ、チョークコイルＬ１に蓄積されたエネルギーが放電される。よって、出力電圧Ｖｏｕｔは出力電圧制御信号ＶＣＳの上昇に伴って上昇する（矢印Ａ４）。すなわちＤＣ−ＤＣコンバータ制御回路２は、動作制御信号ＣＮＴの一番最初の立ち上がりエッジに応じてソフトスタート動作を開始する。
【００４３】
時刻ｔ２において、チャタリングによって動作制御信号ＣＮＴがローレベルへ遷移する。フリップフロップＦＦ１１は、立ち下がりエッジには反応しないため、出力信号ＶＱ１１はハイレベルに維持される（矢印Ａ５）。オア回路ＯＲ１１はハイレベルの出力信号ＶＱ１１に応じて、内部動作制御信号ＩＣＮＴ１をハイレベルへ維持する（矢印Ａ６）。よってソフトスタート制御回路１０によりローレベルの動作制御信号ＣＮＴはマスクされるため、出力電圧Ｖｏｕｔは上昇状態が維持される（矢印Ａ７）。
【００４４】
そして時刻ｔ３において、出力電圧制御信号ＶＣＳが基準電圧ｅ１１に到達すると、検出回路１２において出力信号Ｖ１１がハイレベルに反転する（矢印Ａ１１）。すなわち検出回路１２において、出力電圧Ｖｏｕｔが設定電圧Ｖｓｅｔまで上昇し、ソフトスタート動作が完了したことが検知される。時刻ｔ３以後は、基準電圧ｅ１の方が出力電圧制御信号ＶＣＳよりも低いため、誤差増幅器ＥＲＡ１では基準電圧ｅ１と分圧電圧ＶＮ１との差を増幅する。よって出力電圧Ｖｏｕｔは、設定電圧Ｖｓｅｔにレギュレートされる。
【００４５】
フリップフロップＦＦ１１は、ハイレベルの出力信号Ｖ１１がクリア端子ＣＬに入力されることに応じて、出力信号ＶＱ１１をハイレベルからローレベルへ遷移させる（矢印Ａ１２）。よってオア回路ＯＲ１１による動作制御信号ＣＮＴのマスク動作が解除され、ソフトスタート制御回路１０はローレベルの動作制御信号ＣＮＴを通過させる動作を行う。図５の例では、時刻ｔ３以降は動作制御信号ＣＮＴはハイレベルに維持される。よって内部動作制御信号ＩＣＮＴ１はハイレベルに維持され（矢印Ａ１３）、ＤＣ−ＤＣコンバータ１は動作継続状態とされる。
【００４６】
図６を用いて、動作制御信号ＣＮＴにノイズが発生した場合のＤＣ−ＤＣコンバータ１の動作を説明する。例として、動作制御信号ＣＮＴに、図６の領域Ｒ１２に示すような短時間に複数の立ち上がりエッジを含むノイズが発生した場合を説明する。前述したようにＤＣ−ＤＣコンバータ制御回路２は、動作制御信号ＣＮＴの一番最初の立ち上がりエッジに応じてソフトスタート動作を開始するため、出力電圧Ｖｏｕｔは出力電圧制御信号ＶＣＳの上昇に伴い除々に上昇する（矢印Ａ２１）。そして時刻ｔ１３までの間は、ソフトスタート制御回路１０によりローレベルの動作制御信号ＣＮＴはマスクされるため、出力電圧Ｖｏｕｔは上昇状態が維持される。
【００４７】
そして時刻ｔ１３において、出力電圧制御信号ＶＣＳが基準電圧ｅ１１に到達すると、検出回路１２において出力信号Ｖ１１がハイレベルに反転し、ソフトスタート動作の完了が検出される（矢印Ａ２２）。フリップフロップＦＦ１１は、ハイレベルの出力信号Ｖ１１がクリア端子ＣＬに入力されることに応じて、出力信号ＶＱ１１をハイレベルからローレベルへ遷移させる（矢印Ａ２３）。よってオア回路ＯＲ１１による動作制御信号ＣＮＴのマスク動作が解除され、ソフトスタート制御回路１０はローレベルの動作制御信号ＣＮＴを通過させる動作を行う。
【００４８】
図６では時刻ｔ１３において動作制御信号ＣＮＴはローレベルであるため、内部動作制御信号ＩＣＮＴ１はローレベルに遷移する（矢印Ａ２４）。よってローレベルの内部動作制御信号ＩＣＮＴ１に応じて、充放電制御回路３０のスイッチＳＷ１が非導通状態とされ、スイッチＳＷ２が導通状態とされる。よってコンデンサＣＳの電荷が抵抗ＲＤにより放電されるため、出力電圧制御信号ＶＣＳが低下し、出力電圧Ｖｏｕｔも低下する（矢印Ａ２５、Ａ２６）。
【００４９】
これによりソフトスタート制御回路１０によって、ソフトスタート動作が開始される時刻ｔ１１から、ソフトスタート動作が完了する時刻ｔ１３までの期間中は、停止指令であるローレベルの動作制御信号ＣＮＴが無視される。そしてソフトスタート動作の完了後は、ローレベルの動作制御信号ＣＮＴが無視されないため、ローレベルの動作制御信号ＣＮＴに応じてＤＣ−ＤＣコンバータが停止される。
【００５０】
以上詳細に説明したとおり、第１実施形態に係るＤＣ−ＤＣコンバータ１は、ソフトスタート制御回路１０によって、ソフトスタート動作の開始から完了までの間における、動作制御信号ＣＮＴのチャタリングの影響を排除することが可能となる。そしてソフトスタート制御回路１０では、停止指令であるローレベルの動作制御信号ＣＮＴを、ソフトスタート動作の開始から完了までの期間中は無視する形態であるため、チャタリングの継続時間やパルス幅等の各種パラメータにかかわらず、チャタリングの影響を排除できる。よって従来のように、チャタリング除去回路の各種回路定数を、チャタリングのパラメータに応じて事前に最適に設計する必要がない。これにより、様々なチャタリングのパラメータに対応して、チャタリングを除去することが可能となる。
【００５１】
本発明の第２実施形態を、図７ないし図９を用いて説明する。第２実施形態に係るＤＣ−ＤＣコンバータ１ａを備える電源電圧供給システムを図７に示す。ＤＣ−ＤＣコンバータ制御回路２ａは、第１実施形態のＤＣ−ＤＣコンバータ１のソフトスタート制御回路１０に代えて、ソフトスタート制御回路１０ａを備える。ソフトスタート制御回路１０ａにはＣＰＵ６０から出力される動作制御信号ＣＮＴと、出力電圧Ｖｏｕｔとが入力される。ソフトスタート制御回路１０ａから出力される内部動作制御信号ＩＣＮＴ２は、充放電制御回路３０に入力される。またその他の構成は、図２に示すＤＣ−ＤＣコンバータ１と同様であるため、ここでは詳細な説明を省略する。
【００５２】
図８を用いて、ソフトスタート制御回路１０ａの回路構成を説明する。ソフトスタート制御回路１０ａは、検出回路２２およびラッチ回路２３を備える。検出回路２２の比較器ＣＯＭＰ２１の反転入力端子には出力電圧Ｖｏｕｔが入力され、非反転入力端子にはしきい値電圧Ｖｔｈが入力される。しきい値電圧ＶｔｈはＤＣ−ＤＣコンバータ１ａが停止状態であるか否かを判断するための電圧であり、出力電圧Ｖｏｕｔがしきい値電圧Ｖｔｈよりも高いときにはＤＣ−ＤＣコンバータ１ａは動作状態であり、出力電圧Ｖｏｕｔがしきい値電圧Ｖｔｈよりも低いときにはＤＣ−ＤＣコンバータ１ａは停止状態であると判断される。検出回路２２からは出力信号Ｖ２１が出力される。
【００５３】
ラッチ回路２３はフリップフロップＦＦ２１、ＦＦ２２、オア回路ＯＲ２１およびアンド回路ＡＮＤ２１を備える。フリップフロップＦＦ２１およびＦＦ２２は、立ち上がりエッジに応じてデータ信号を取り込むＤタイプのフリップフロップである。フリップフロップＦＦ２１のクロック端子には動作制御信号ＣＮＴが入力され、データ端子Ｄには出力信号Ｖ２１が入力され、非反転出力端子Ｑからは出力信号ＶＱ２１が出力される。またフリップフロップＦＦ２２のクロック端子には出力信号Ｖ２１が入力され、データ端子Ｄには動作制御信号ＣＮＴが入力され、非反転出力端子Ｑからは出力信号ＶＱ２２が出力される。オア回路ＯＲ１１には出力信号ＶＱ２１およびＶＱ２２が入力され、出力信号ＶＯＲ２１が出力される。アンド回路ＡＮＤ２１には、出力信号ＶＯＲ２１および動作制御信号ＣＮＴが入力され、内部動作制御信号ＩＣＮＴ２が出力される。
【００５４】
図９を用いて、ＤＣ−ＤＣコンバータ１ａの起動時の動作を説明する。時刻ｔ２１以前においては動作制御信号ＣＮＴはローレベルとされ、出力電圧Ｖｏｕｔはゼロとされ、ＤＣ−ＤＣコンバータ１ａは動作停止状態である。時刻ｔ２１において動作制御信号ＣＮＴがローレベルからハイレベルへ遷移されることで、ＤＣ−ＤＣコンバータ１ａが起動される。このとき動作制御信号ＣＮＴに、領域Ｒ２１に示すようなチャタリングが発生する場合を説明する。
【００５５】
フリップフロップＦＦ２１は、動作制御信号ＣＮＴの立ち上がりエッジが入力され動作指令が行われる時に、ＤＣ−ＤＣコンバータ１ａが停止状態のときは、ハイレベルの出力信号ＶＱ２１を出力する回路である。フリップフロップＦＦ２１は、動作制御信号ＣＮＴの一番最初の立ち上がりエッジに応じて、ハイレベルの出力信号Ｖ２１を取り込む（矢印Ａ３１）。ハイレベルの出力信号ＶＱ２１によって、オア回路ＯＲ２１から出力される出力信号ＶＯＲ２１はハイレベルに確定される（矢印Ａ３２）。アンド回路ＡＮＤ２１には、ハイレベルの動作制御信号ＣＮＴと出力信号ＶＯＲ２１とが入力されるため、アンド回路ＡＮＤ２１から出力される内部動作制御信号ＩＣＮＴ２はハイレベルに遷移する（矢印Ａ３３）。ハイレベルの内部動作制御信号ＩＣＮＴ２に応じて、充放電制御回路３０によってコンデンサＣＳが電流ｉ１により充電され、出力電圧制御信号ＶＣＳが０Ｖから除々に上昇するため、出力電圧Ｖｏｕｔは出力電圧制御信号ＶＣＳの上昇に伴って上昇する（矢印Ａ３４）。すなわちＤＣ−ＤＣコンバータ制御回路２ａは、動作制御信号ＣＮＴの一番最初の立ち上がりエッジに応じてソフトスタート動作を開始する。
【００５６】
そして時刻ｔ２２において、出力電圧Ｖｏｕｔが、しきい値電圧Ｖｔｈまで上昇すると、検出回路２２において出力信号Ｖ２１がローレベルに反転し、ＤＣ−ＤＣコンバータが停止状態を脱したことが検知される（矢印Ａ３５）。
【００５７】
アンド回路ＡＮＤ２１は、ローレベルの動作制御信号ＣＮＴは通過させる。よって時刻ｔ２３において、チャタリングによって動作制御信号ＣＮＴがローレベルへ遷移すると、アンド回路ＡＮＤ２１から出力される内部動作制御信号ＩＣＮＴ２はローレベルに遷移する（矢印Ａ３６）。ローレベルの内部動作制御信号ＩＣＮＴ２に応じて、充放電制御回路３０によってコンデンサＣＳが放電され、出力電圧制御信号ＶＣＳが下降するため、出力電圧Ｖｏｕｔも下降する（矢印Ａ３７）。
【００５８】
時刻ｔ２４において、チャタリングによって動作制御信号ＣＮＴがハイレベルへ遷移する。フリップフロップＦＦ２１は、動作制御信号ＣＮＴの立ち上がりエッジに応じて、ローレベルの出力信号Ｖ２１を取り込む（矢印Ａ３８）。オア回路ＯＲ２１にはローレベルの出力信号ＶＱ２１およびＶＱ２２が入力されるため、出力信号ＶＯＲ２１はローレベルに遷移する（矢印Ａ３９）。アンド回路ＡＮＤ２１にはローレベルの出力信号ＶＯＲ２１が入力されるため、内部動作制御信号ＩＣＮＴ２はローレベルに維持される（矢印Ａ４０）。よってアンド回路ＡＮＤ２１によりハイレベルの動作制御信号ＣＮＴがマスクされるため、出力電圧Ｖｏｕｔは下降状態が維持される。
【００５９】
そして時刻ｔ２５において、出力電圧Ｖｏｕｔがしきい値電圧Ｖｔｈまで下降すると、検出回路２２において出力信号Ｖ２１がハイレベルに反転し、ＤＣ−ＤＣコンバータが再度停止状態となったことが検知される（矢印Ａ４１）。フリップフロップＦＦ２２は、ＤＣ−ＤＣコンバータ１ａが停止状態のときに、動作制御信号ＣＮＴの立ち上がりエッジが入力され動作指令が行われたときは、ハイレベルの出力信号ＶＱ２２を出力する回路である。よってフリップフロップＦＦ２２は、出力信号Ｖ２１の立ち上がりエッジに応じて、ハイレベルの動作制御信号ＣＮＴを取り込み、出力信号ＶＱ２２をハイレベルとする（矢印Ａ４２）。ハイレベルの出力信号ＶＱ２２によって、オア回路ＯＲ２１から出力される出力信号ＶＯＲ２１はハイレベルに確定される。よってアンド回路ＡＮＤ２１による、ハイレベルの動作制御信号ＣＮＴをマスクする動作が解除される。
【００６０】
アンド回路ＡＮＤ２１には、ハイレベルの動作制御信号ＣＮＴと出力信号ＶＯＲ２１とが入力されるため、内部動作制御信号ＩＣＮＴ２はハイレベルに遷移し、出力電圧Ｖｏｕｔは上昇する（矢印Ａ４３）。すなわちＤＣ−ＤＣコンバータ制御回路２ａは、ＤＣ−ＤＣコンバータ１ａが停止完了した後の動作制御信号ＣＮＴの立ち上がりエッジに応じて、ソフトスタート動作を再度開始する。
【００６１】
これによりソフトスタート制御回路１０ａによって、ＤＣ−ＤＣコンバータ１ａの停止が開始される時刻ｔ２３から、ＤＣ−ＤＣコンバータ１ａの停止が完了する時刻ｔ２４までの期間中は、動作指令であるハイレベルの動作制御信号ＣＮＴが無視される。そしてＤＣ−ＤＣコンバータ１ａの停止完了後はハイレベルの動作制御信号ＣＮＴが無視されないため、時刻ｔ２５において、ハイレベルの動作制御信号ＣＮＴに応じて、ＤＣ−ＤＣコンバータ１ａのソフトスタート動作が開始される。
【００６２】
以上詳細に説明したとおり、第２実施形態に係るＤＣ−ＤＣコンバータ１ａは、ソフトスタート制御回路１０ａによって、ＤＣ−ＤＣコンバータ１ａの停止開始から停止完了までの期間中における、動作制御信号ＣＮＴのチャタリングの影響を排除することが可能となる。そしてソフトスタート制御回路１０ａでは、動作指令であるハイレベルの動作制御信号ＣＮＴを、ソフトスタート動作の開始後からＤＣ−ＤＣコンバータが停止するまでの期間中は無視する形態であるため、チャタリングの継続時間やパルス幅等の各種パラメータにかかわらず、チャタリングの影響を排除できる。よって従来のように、チャタリング除去回路の各種回路定数を、チャタリングのパラメータに応じて事前に最適に設計する必要がない。これにより、様々なチャタリングのパラメータに対応して、チャタリングを除去することが可能となる。
【００６３】
ＤＣ−ＤＣコンバータ１ａの停止開始から停止完了までの期間中におけるチャタリングの影響を排除できない場合には、当該期間中において、動作指令が短時間に繰り返し行われることになるため、出力電圧制御信号ＶＣＳが繰り返し上昇する。誤差増幅器ＥＲＡ１は、出力電圧制御信号ＶＣＳと出力電圧Ｖｏｕｔとの差に応じて出力信号Ｖｏｐ１を上昇させるため、出力電圧制御信号ＶＣＳが繰り返し上昇することに応じて、出力信号Ｖｏｐ１も繰り返し上昇する。するとコンデンサＦＣは、出力信号Ｖｏｐ１によって繰り返し充電されるため、放電時間が十分に得られない場合がある。この場合には、コンデンサＦＣに蓄えられた電荷によって出力信号Ｖｏｐ１が高い状態が維持され、ＰＷＭ比較器ＰＷＭ１は最大オンデューティで動作することになる。その結果、停止指令が行われているにも関わらず出力電圧Ｖｏｕｔが上昇し、ＤＣ−ＤＣコンバータ１ａが制御不能になる事態が発生する場合がある。しかしＤＣ−ＤＣコンバータ制御回路２ａによって、ＤＣ−ＤＣコンバータ１ａの停止開始から停止完了までの期間中において、動作制御信号ＣＮＴの動作指令を無視することで、コンデンサＦＣの放電時間を十分に取ることができるため、ＤＣ−ＤＣコンバータ１ａが制御不能となる事態を防止する事が可能となる。
【００６４】
なお、本発明の技術思想により、背景技術における課題を解決するための手段を以下に列記する。
（１）動作指令に応じてＤＣ−ＤＣコンバータのソフトスタート動作を開始し、停止指令に応じて前記ＤＣ−ＤＣコンバータを停止するＤＣ−ＤＣコンバータの制御回路であって、
前記ソフトスタート動作の開始から前記ＤＣ−ＤＣコンバータの立ち上げが完了するまでの期間中は前記停止指令を無視する第１ソフトスタート制御回路
を備えることを特徴とするＤＣ−ＤＣコンバータの制御回路。
（２）前記第１ソフトスタート制御回路は、
前記ＤＣ−ＤＣコンバータの立ち上げが完了した際に前記停止指令が入力されている場合には前記ＤＣ−ＤＣコンバータを動作状態から停止状態へ遷移させ、
前記ＤＣ−ＤＣコンバータの立ち上げが完了した際に前記動作指令が入力されている場合には前記ＤＣ−ＤＣコンバータを動作継続状態とすることを特徴とする（１）に記載のＤＣ−ＤＣコンバータの制御回路。
（３）前記第１ソフトスタート制御回路は、
前記ＤＣ−ＤＣコンバータの立ち上げの完了を検出する第１検出回路と、
前記ＤＣ−ＤＣコンバータの起動時における前記停止指令から前記動作指令への一番最初の遷移に応じて前記動作指令を取り込み、前記第１検出回路の検出動作が行われるまでの期間中において前記停止指令をマスクする第１ラッチ回路と
を備えることを特徴とする（１）に記載のＤＣ−ＤＣコンバータの制御回路。
（４）前記第１ラッチ回路は、
前記ＤＣ−ＤＣコンバータの起動時における前記停止指令から前記動作指令への一番最初の遷移に応じて出力信号を第１状態から第２状態へ遷移させ、
第２状態に遷移後は、前記第１検出回路の検出動作が行われるまでは前記停止指令にかかわらず前記出力信号を第２状態に維持し、
前記第１検出回路による検出動作に応じて前記出力信号を前記第２状態から前記第１状態へ遷移させる第１フリップフロップ回路と、
前記第１フリップフロップ回路の出力信号が前記第１状態であり前記停止指令が行われている場合に前記停止指令を通過させる第１論理回路と
を備えることを特徴とする（３）に記載のＤＣ−ＤＣコンバータの制御回路。
（５）前記第１フリップフロップ回路は、
クロック端子へ前記動作指令および前記停止指令が入力され、クリア端子に前記第１検出回路の出力信号が入力され、データ端子に前記第２電位レベルの電圧が入力される第１Ｄフリップフロップを備えることを特徴とする（４）に記載のＤＣ−ＤＣコンバータの制御回路。
（６）前記第１検出回路は、
一端にソフトスタート動作に応じて充放電されるコンデンサが接続され、
他端に前記出力電圧の設定電圧を定める第１基準電圧が入力される第１比較器を備えることを特徴とする（３）に記載のＤＣ−ＤＣコンバータの制御回路。
（７）前記第１検出回路は、
一端に前記出力電圧が入力され、
他端に前記出力電圧の設定電圧が入力される第２比較器を備えることを特徴とする（３）に記載のＤＣ−ＤＣコンバータの制御回路。
（８）動作指令に応じてＤＣ−ＤＣコンバータのソフトスタート動作を開始し、停止指令に応じて前記ＤＣ−ＤＣコンバータを停止するＤＣ−ＤＣコンバータであって、
前記ソフトスタート動作の開始から前記ＤＣ−ＤＣコンバータの立ち上げが完了するまでの期間中は前記停止指令を無視する第１ソフトスタート制御回路
を備えることを特徴とするＤＣ−ＤＣコンバータ。
（９）動作指令に応じてＤＣ−ＤＣコンバータのソフトスタート動作を開始し、停止指令に応じて前記ＤＣ−ＤＣコンバータを停止するＤＣ−ＤＣコンバータの制御方法であって、
前記ソフトスタート動作を開始するステップと、
前記ソフトスタート動作の開始から前記ＤＣ−ＤＣコンバータの立ち上げが完了するまでの期間中は前記停止指令を無視するステップと
を備えることを特徴とするＤＣ−ＤＣコンバータの制御方法。
（１０）動作指令に応じてＤＣ−ＤＣコンバータのソフトスタート動作を開始し、停止指令に応じて前記ＤＣ−ＤＣコンバータを停止するＤＣ−ＤＣコンバータの制御回路であって、
前記ＤＣ−ＤＣコンバータの停止開始から停止完了までの期間中は前記動作指令を無視する第２ソフトスタート制御回路
を備えることを特徴とするＤＣ−ＤＣコンバータの制御回路。
（１１）前記第２ソフトスタート制御回路は、
前記ＤＣ−ＤＣコンバータの停止が完了した際に前記動作指令が入力されている場合には前記ＤＣ−ＤＣコンバータを停止状態から動作状態へ遷移させ、
前記ＤＣ−ＤＣコンバータの停止が完了した際に前記停止指令が入力されている場合には前記ＤＣ−ＤＣコンバータを停止継続状態とすることを特徴とする（１０）に記載のＤＣ−ＤＣコンバータの制御回路。
（１２）前記第２ソフトスタート制御回路は、
前記ＤＣ−ＤＣコンバータの停止完了を検出する第２検出回路と、
前記動作指令から前記停止指令への一番最初の遷移に応じて前記停止指令を取り込み、前記第２検出回路の検出動作が行われるまでの期間中において前記動作指令をマスクする第２ラッチ回路と
を備えることを特徴とする（１０）に記載のＤＣ−ＤＣコンバータの制御回路。
（１３）前記第２ラッチ回路は、
前記動作指令時に前記ＤＣ−ＤＣコンバータが停止状態のときは出力信号を第１状態から第２状態へ遷移させる第２フリップフロップ回路と、
前記ＤＣ−ＤＣコンバータが停止状態のときに前記動作指令が入力されることに応じて前記出力信号を第１状態から第２状態へ遷移させる第３フリップフロップ回路と、
前記第２フリップフロップ回路または前記第３フリップフロップ回路の少なくとも一方が前記第２状態であり、かつ前記動作指令が行われるときには前記動作指令を通過させる第２論理回路と
を備えることを特徴とする（１２）に記載のＤＣ−ＤＣコンバータの制御回路。
（１４）前記第２フリップフロップ回路は、
クロック端子へ前記動作指令および前記停止指令が入力され、データ端子に前記第２検出回路の出力信号が入力される第２Ｄフリップフロップを備え、
前記第３フリップフロップ回路は、
クロック端子へ前記第２検出回路の出力信号が入力され、データ端子に前記動作指令および前記停止指令が入力される第３Ｄフリップフロップを備えることを特徴とする（１３）に記載のＤＣ−ＤＣコンバータの制御回路。
（１５）前記第２検出回路は、
一端にソフトスタート動作に応じて充放電されるコンデンサが接続され、
他端に前記しきい値電圧を定める第１基準電圧が入力される第２比較器を備えることを特徴とする（１２）に記載のＤＣ−ＤＣコンバータの制御回路。
（１６）前記第２検出回路は、
一端に前記出力電圧が入力され、
他端に前記しきい値電圧が入力される第２比較器を備えることを特徴とする（１２）に記載のＤＣ−ＤＣコンバータの制御回路。
（１７）動作指令に応じてＤＣ−ＤＣコンバータのソフトスタート動作を開始し、停止指令に応じて前記ＤＣ−ＤＣコンバータを停止するＤＣ−ＤＣコンバータであって、
前記ＤＣ−ＤＣコンバータの停止開始から停止完了までの期間中は前記動作指令を無視する第２ソフトスタート制御回路
を備えることを特徴とするＤＣ−ＤＣコンバータ。
（１８）動作指令に応じてＤＣ−ＤＣコンバータのソフトスタート動作を開始し、停止指令に応じて前記ＤＣ−ＤＣコンバータを停止するＤＣ−ＤＣコンバータの制御方法であって、
前記ＤＣ−ＤＣコンバータを停止するステップと、
前記ＤＣ−ＤＣコンバータの停止開始から停止完了までの期間中は前記動作指令を無視するステップと
を備えることを特徴とするＤＣ−ＤＣコンバータの制御方法。
【００６５】
尚、本発明は前記実施形態に限定されるものではなく、本発明の趣旨を逸脱しない範囲内で種々の改良、変形が可能であることは言うまでもない。本発明のソフトスタート制御回路のポイントは、ＤＣ−ＤＣコンバータの出力電圧Ｖｏｕｔをフィードバックして所定の期間を検出し、当該所定の期間において動作指令や停止指令を無視することにある。よってソフトスタート制御回路には、出力電圧Ｖｏｕｔを直接フィードバックしてもよいし、出力電圧Ｖｏｕｔを定める出力電圧制御信号ＶＣＳをフィードバックしても良いことは言うまでもない。よって、第１実施形態に示すＤＣ−ＤＣコンバータ制御回路２では、出力電圧制御信号ＶＣＳをソフトスタート制御回路１０へフィードバックするとしたが、出力電圧Ｖｏｕｔをフィードバックしてもよい。また第２実施形態に示すＤＣ−ＤＣコンバータ制御回路２ａでは、出力電圧Ｖｏｕｔをソフトスタート制御回路１０ａへフィードバックするとしたが、出力電圧制御信号ＶＣＳをフィードバックしてもよい。
【００６６】
また第１実施形態のソフトスタート制御回路１０は、ソフトスタート動作の開始から完了までの期間中にローレベルの動作制御信号ＣＮＴを無視するとした。また第２実施形態のソフトスタート制御回路１０ａは、ＤＣ−ＤＣコンバータ１ａの停止開始から停止完了までの期間中にハイレベルの動作制御信号ＣＮＴを無視するとした。しかしソフトスタート制御回路１０と１０ａとは、それぞれＤＣ−ＤＣコンバータの起動時と終了時との異なる期間におけるチャタリング防止のための動作を行うものである。よってソフトスタート制御回路は、ソフトスタート制御回路１０と１０ａとの両方の機能を備えるとしてもよいことは言うまでもない。
【００６７】
また本実施形態のＤＣ−ＤＣコンバータ制御回路２および２ａは、単一または複数の半導体チップなどにより構成してもよい。また本実施形態のトランジスタＦＥＴ１およびＦＥＴ２は、独立したディスクリートのパワー素子であってもよいし、ＤＣ−ＤＣコンバータ制御回路２および２ａにＬＳＩとして搭載されてもよい。またＤＣ−ＤＣコンバータ１および１ａを単一または複数の半導体チップにより構成してもよい。またＤＣ−ＤＣコンバータ１とＤＣ−ＤＣコンバータ制御回路１とは、モジュールとして構成してもよい。また本実施形態に係るＤＣ−ＤＣコンバータ１および１ａを、各種の電源装置に適用可能であることは言うまでもない。
【００６８】
また本実施形態では、電圧モード型のＤＣ−ＤＣコンバータについて説明した。ここで本発明のポイントは、ＤＣ−ＤＣコンバータの出力電圧を監視し、所定の期間において動作指令や停止指令を無視することにある。よって、電圧モード型のみならず、電流モード型のＤＣ−ＤＣコンバータにおいても本発明を適用することができることは言うまでもない。
【００６９】
なお、検出回路１２および２２は検知回路の一例、ラッチ回路１３は出力電圧制御手段の一例、動作制御信号ＣＮＴは外部ソフトスタート信号の一例、内部動作制御信号ＩＣＮＴは内部ソフトスタート信号の一例、充放電制御回路３０はソフトスタート開始部の一例、ソフトスタート制御回路１０および１０ａはソフトスタート変換部の一例、ラッチ回路２３はソフトスタート信号生成回路の一例、比較器ＣＯＭＰ２１は比較回路の一例、フリップフロップＦＦ２１は第１のラッチ回路の一例、フリップフロップＦＦ２２は第２のラッチ回路の一例、オア回路ＯＲ２１およびアンド回路ＡＮＤ２１は論理演算回路のそれぞれ一例である。
【００７０】
また、ソフトスタート制御回路１０は第１ソフトスタート制御回路の一例、ソフトスタート制御回路１０ａは第２ソフトスタート制御回路の一例、検出回路１２は第１検出回路の一例、検出回路２２は第２検出回路の一例、ラッチ回路１３は第１ラッチ回路の一例、ラッチ回路２３は第２ラッチ回路の一例、フリップフロップＦＦ１１は第１Ｄフリップフロップの一例、フリップフロップＦＦ２１は第２Ｄフリップフロップの一例、フリップフロップＦＦ２２は第３Ｄフリップフロップの一例、オア回路ＯＲ１１は第１論理回路の一例、オア回路ＯＲ２１およびアンド回路ＡＮＤ２１は第２論理回路の一例、基準電圧ｅ１１は第１基準電圧の一例、しきい値電圧Ｖｔｈは第２基準電圧の一例、比較器ＣＯＭＰ１１は第１比較器の一例、比較器ＣＯＭＰ２１は第２比較器のそれぞれ一例である。
【００７１】
ここで、本発明の技術思想により、背景技術における課題を解決するための手段を以下に列記する。
（付記１）ソフトスタート信号に基づいてソフトスタートを行うソフトスタート機能を備えたＤＣ−ＤＣコンバータにおいて、
ソフトスタート終了時に前記ソフトスタート信号が活性化されているか否かを検知する検知回路と、
前記検知回路の検知結果に基づいて出力電圧を制御する出力電圧制御手段と
を備えることを特徴とするＤＣ−ＤＣコンバータ。
（付記２）前記出力電圧制御手段は、
前記検知結果がソフトスタート信号の活性化を示す場合には前記出力電圧をそのまま維持し、前記検知結果がソフトスタート信号の非活性化を示す場合には前記出力電圧を下げること
を特徴とする付記１に記載のＤＣ−ＤＣコンバータ。
（付記３）前記ソフトスタート終了時は、前記出力電圧が前記ソフトスタート機能で設定される終止電圧に達することで判断されること
を特徴とする付記１または付記２に記載のＤＣ−ＤＣコンバータ。
（付記４）ソフトスタート用信号を入力するための入力部を備え出力電圧信号と基準電圧信号との差を増幅して出力する誤差増幅器と、前記誤差増幅器の出力を用いて第1スイッチングトランジスタと第2スイッチングトランジスタとのオンとオフとを制御するＰＷＭ制御回路とを備えたＤＣ−ＤＣコンバータにおいて、
前記出力電圧信号が所定電圧に達したときに前記ソフトスタート信号のレベルを検知する検知回路と、
前記検知結果に基づいて出力電圧信号を制御する出力電圧制御手段と
を備えることを特徴とするＤＣ−ＤＣコンバータ。
（付記５）前記出力電圧制御手段は、
前記検知結果がソフトスタート信号の活性化を示す場合には前記出力電圧をそのまま維持し、前記検知結果がソフトスタート信号の非活性化を示す場合には前記出力電圧を下げること
を特徴とする付記４に記載のＤＣ−ＤＣコンバータ。
（付記６）外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
ソフトスタート終了時に前記外部ソフトスタート信号が活性化されているか否かを検知する検知回路と、
前記検知回路の検知結果に基づいて内部ソフトスタート信号の出力を制御する制御手段と
を備えることを特徴とするＤＣ−ＤＣコンバータ。
（付記７）ソフトスタート信号を受信して、該ソフトスタート信号の活性化に応じてソフトスタートを開始し、
前記ソフトスタートの終了時に前記ソフトスタート信号が活性化されているか否かを検知し、
前記検知結果に基づいて出力電圧を制御すること
を特徴とする電源電圧供給方法。
（付記８）前記検知結果がソフトスタート信号の活性化を示す場合には前記出力電圧をそのまま維持し、前記検知結果がソフトスタート信号の非活性化を示す場合には前記出力電圧を下げること
を特徴とする付記７に記載の電源電圧供給方法。
（付記９）外部からソフトスタートを受信し、
前記ソフトスタート信号に基づいてソフトスタートの開始を指示する内部ソフトスタート信号を生成し、
前記内部ソフトスタート信号に基づいてソフトスタートを開始し、
出力電圧が所定電圧に達したか否かを判定し、
前記出力電圧が所定電圧に達した場合に前記外部ソフトスタート信号が活性化されているか否かを判定し、
前記外部ソフトスタート信号が活性化されていない場合には、ソフトスタートを行わない旨を指示する内部ソフトスタート信号を生成すること
を特徴とする電源電圧供給方法。
（付記１０）ＣＰＵと、
前記ＣＰＵからのソフトスタート信号に基づいてソフトスタートを行うＤＣ−ＤＣコンバータと
を備え、
前記ＤＣ−ＤＣコンバータは、
ソフトスタート終了時に前記ソフトスタート信号が活性化されているか否かを検知する検知回路と、
前記検知回路の検知結果に基づいて出力電圧を制御する出力電圧制御手段と
を備えることを特徴とする電源電圧供給システム。
（付記１１） ＣＰＵと、
前記ＣＰＵからの外部ソフトスタート信号を受信するＤＣ−ＤＣコンバータと、
を備え、
前記ＤＣ−ＤＣコンバータは、
外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
ソフトスタート終了時に前記外部ソフトスタート信号が活性化されているか否かを検知する検知回路と、
前記検知回路の検知結果に基づいて内部ソフトスタート信号の出力を制御する制御手段と
を備えることを特徴とする電源電圧供給システム。
（付記１２）ソフトスタート信号に基づいてソフトスタートを行うソフトスタート機能を備えたＤＣ−ＤＣコンバータにおいて、
前記ソフトスタート信号の活性化に基づいて出力電圧を検知し、該出力電圧が接地電位を含む所定の範囲にある場合にソフトスタート開始すること
を特徴とするＤＣ−ＤＣコンバータ。
（付記１３）ソフトスタート用信号を入力するための入力部を備え出力電圧信号と基準電圧信号との差を増幅して出力する誤差増幅器と、前記誤差増幅器の出力を用いて第１スイッチングトランジスタと第２スイッチングトランジスタとのオンとオフとを制御するＰＷＭ制御回路とを備えたＤＣ−ＤＣコンバータにおいて、
前記ソフトスタート信号が活性化された場合に出力電圧を検知する検知回路と、
前記検知結果に基づいてソフトスタートを開始する信号を生成するソフトスタート信号生成回路と
を備えることを特徴とするＤＣ−ＤＣコンバータ。
（付記１４）前記検知回路と前記ソフトスタート信号生成回路とは、
前記出力電圧と接地電位とを比較し比較結果を出力する比較回路と、
前記外部ソフトスタート信号に応答して前記比較結果をラッチする第１のラッチ回路と、
前記比較結果に応答して前記外部ソフトスタート信号をラッチする第２のラッチ回路と、
前記第１のラッチ回路の出力と前記第２のラッチ回路の出力を論理演算する論理演算回路と
を備えることを特徴とする付記１３に記載のＤＣ−ＤＣコンバータ。
（付記１５）外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
外部ソフトスタート信号活性化時に出力電圧を検知し、該出力電圧が接地電位を含む所定の範囲にある場合に、前記内部ソフトスタート信号を活性化させること
を特徴とするＤＣ−ＤＣコンバータ。
（付記１６）前記ソフトスタート変換部は、
前記出力電圧と接地電位とを比較し比較結果を出力する比較回路と、
前記外部ソフトスタート信号に応答して前記比較結果をラッチする第１のラッチ回路と、
前記比較結果に応答して前記外部ソフトスタート信号をラッチする第２のラッチ回路と、
前記第１のラッチ回路の出力と前記第２のラッチ回路の出力を論理演算する論理演算回路と、
を備えることを特徴とする付記１５に記載のＤＣ−ＤＣコンバータ。
（付記１７）電源投入時又はリセット時に活性化されるソフトスタート信号に基づいてソフトスタートを開始することで電源電圧の供給を開始する電源電圧供給方法において、
ソフトスタート信号を受信し、
前記ソフトスタート信号の活性化に基づいて出力電圧を検知し、
前記出力電圧が接地電位を含む所定の範囲にある場合にソフトスタート開始すること
を特徴とする電源電圧供給方法。
（付記１８）外部からの外部ソフトスタート信号を受信し、
前記外部ソフトスタート信号活性化時に出力電圧を検知し、
前記出力電圧が接地電位を含む所定の範囲にある場合に、ソフトスタートを開始する内部ソフトスタート信号を生成し、
前記内部ソフトスタート信号に基づいてソフトスタートを開始して電源電圧の供給を開始すること
を特徴とする電源電圧供給方法。
（付記１９）ＣＰＵと、
前記ＣＰＵからのソフトスタート信号に基づいてソフトスタートを行うソフトスタート機能を備えた電源電圧供給システムと
を備え、
前記ＤＣ−ＤＣコンバータは、
前記ソフトスタート信号の活性化に基づいて出力電圧を検知し、該出力電圧が接地電位を含む所定の範囲にある場合にソフトスタート開始すること
を特徴とする電源電圧供給システム。
（付記２０）ＣＰＵと、
前記ＣＰＵからの外部ソフトスタート信号を受信するＤＣ−ＤＣコンバータと
を備え、
前記ＤＣ−ＤＣコンバータは、
外部からの外部ソフトスタート信号が入力される入力部と、
前記外部ソフトスタート信号を内部ソフトスタート信号に変換するソフトスタート変換部と、
前記内部ソフトスタート信号の活性化に応答してソフトスタートを開始するソフトスタート開始部と
を備え、
前記ソフトスタート変換部は、
外部ソフトスタート信号活性化時に出力電圧を検知し、該出力電圧が接地電位を含む所定の範囲にある場合に、前記内部ソフトスタート信号を活性化させること
を特徴とする電源電圧供給システム。
【図面の簡単な説明】
【００７２】
【図１】本発明の原理図
【図２】第１実施形態に係るＤＣ−ＤＣコンバータの回路図
【図３】第１実施形態に係るソフトスタート制御回路の回路構成図
【図４】第１実施形態に係るラッチ回路の回路構成図
【図５】第１実施形態に係るＤＣ−ＤＣコンバータのタイミングチャート（その１）
【図６】第１実施形態に係るＤＣ−ＤＣコンバータのタイミングチャート（その２）
【図７】第２実施形態に係るＤＣ−ＤＣコンバータの回路図
【図８】第２実施形態に係るソフトスタート制御回路の回路構成図
【図９】第２実施形態に係るＤＣ−ＤＣコンバータのタイミングチャート
【図１０】従来技術に係るＤＣ−ＤＣコンバータの回路図
【図１１】従来技術に係るチャタリング除去回路の回路図
【符号の説明】
【００７３】
１、１ａ  ＤＣ−ＤＣコンバータ
２、２ａ  ＤＣ−ＤＣコンバータ制御回路
１０、１０ａ  ソフトスタート制御回路
１３  ラッチ回路
３０  充放電制御回路
４０  スイッチング制御回路
５０  パワー部
ＣＮＴ  動作制御信号
ＣＯＭＰ１１、ＣＯＭＰ２１  比較器
ＣＳ  コンデンサ
ＥＲＡ１  誤差増幅器
ＦＥＴ１、ＦＥＴ２  トランジスタ
ＦＦ１１、ＦＦ２１、ＦＦ２２  フリップフロップ
ＳＷ１、ＳＷ２  スイッチ
Ｖｉｎ  入力電圧
Ｖｏｕｔ  出力電圧
Ｖｓｅｔ  設定電圧
Ｖｔｈ  しきい値電圧
【図１】
2008253003.tif 000003
【図２】
2008253003.tif 000004
【図３】
2008253003.tif 000005
【図４】
2008253003.tif 000006
【図５】
2008253003.tif 000007
【図６】
2008253003.tif 000008
【図７】
2008253003.tif 000009
【図８】
2008253003.tif 000010
【図９】
2008253003.tif 000011
【図１０】
2008253003.tif 000012
【図１１】
2008253003.tif 000013